(57)【要約】【課題】下腿部に過度な緊締力を付与することなく、快適な着用感を得ながらも、効果的に脚のむくみや疲れを予防・軽減できるレッグウエアを提供する。【解決手段】少なくとも外踝から膝関節下端までの下腿部を覆う筒状の本体部を備えたレッグウエアであって、前記外踝から後足首を経由して膝関節後面側の下端に至る外旋回のスパイラル形状を成す脚サポートライン部を前記本体部に備え、前記脚サポートライン部は、前記外踝から後足首を旋回して内側に至り、該内側から外側へと前面側で、脛骨の下端から脛骨全長の１／４〜１／２の位置で向う脛を斜め上方に横切り、後面側で腓腹筋の中部から上部を経由して腓骨頭に至る。【選択図】図１
2008266802.tif 000002
【特許請求の範囲】
【請求項１】
少なくとも外踝から膝関節下端までの下腿部を覆う筒状の本体部を備えたレッグウエアであって、
前記外踝から後足首を経由して膝関節後面側の下端に至る外旋回のスパイラル形状を成す脚サポートライン部を前記本体部に備え、
前記脚サポートライン部は、前記外踝から後足首を旋回して内側に至り、該内側から外側へと前面側で、脛骨の下端から脛骨全長の１／４〜１／２の位置で向う脛を斜め上方に横切り、後面側で腓腹筋の中部から上部を経由して腓骨頭に至ることを特徴とするレッグウエア。
【請求項２】
前記脚サポートライン部は、前記本体部よりも緊締力の大きい素材で形成され、前記足首から膝関節下部までの範囲において、前記本体部の２／５未満の面積としている請求項１に記載のレッグウエア。
【請求項３】
前記脚サポートライン部は１ｃｍ〜４ｃｍの幅を有すると共に、最も高い圧力を付加する部分（Ｐ点）における圧力値は１．１ｋＰａ〜５．０ｋＰａであり、前記Ｐ点の裏側に相当する前記本体部の部分（Ｑ点）における圧力値に対して１．２〜４．５倍に設定している請求項１または請求項２に記載のレッグウエア。
【請求項４】
前記脚サポートライン部の下端に連続する足裏サポートライン部を備え、該足裏サポートライン部は、足首甲部に位置する先端から足裏を横切って足首甲部へと旋回させ、前記先端と交差させてＹ字形状とし、該足裏サポートライン部は前記脚サポートライン部と同等の緊締力を付与している請求項１乃至請求項３のいずれか１項に記載のレッグウエア。
【請求項５】
前記脚サポートライン部あるいは／及び前記足裏サポートライン部は、下記（１）〜（４）のいずれかの方法で形成している請求項１乃至請求項４のいずれか１項に記載のレッグウエア。
（１）前記本体部と編組織や編密度を変えることにより前記本体部と一連に編成する；
（２）前記本体部に別布を重ねて縫合または接着する；
（３）前記本体部に樹脂を溶着あるいはプリントする；
（４）前記本体部に装飾部材を樹脂接着する：
【請求項６】
ストッキング、ソックス、レッグサポータ、あるいはパンティストッキングとしている請求項１乃至請求項５のいずれか１項に記載のレッグウエア。
【発明の詳細な説明】
【技術分野】
【０００１】
本発明は、レッグウエアに関し、特に、ストッキング、ソックス、レッグサポータ、パンティストッキング等のレッグウエアにおいて、脚のむくみ、だるさ、疲れ等を予防、軽減するものである。
【背景技術】
【０００２】
人体は、横臥位時に比べて立位時には血液が脚部に貯蓄しやすいため、特に下腿部において静脈圧が増加し、脚のむくみを生じる。このような脚のむくみは、靴が窮屈になったり、脚が疲れたり、だるくなったりして不快なだけでなく、痛みを生じたり、場合には静脈瘤等の血行障害が発生したりする。
【０００３】
そのため、従来から、血液が脚部に貯留するのを抑制する目的で、下腿部に段階的に圧力を付与する構成としたストッキング、ハイソックス及びサポータ等のレッグウエアが多数提案されている。
例えば、特開平１１−１３１３０３号公報（特許文献１）では、図７に示すような、ふくらはぎを覆ってふくらはぎを締め付ける筒状の上部サポータ体２と、足の土踏まず部を覆って土踏まず部を締め付ける筒状の下部サポータ体４とからなるレッグサポータを提案している。前記上部サポータ体２は、中央部がふくらはぎを強圧で締め付け、両端部がふくらはぎを弱圧で締め付け、中央部と両端部の間の部分がふくらはぎを中圧で締め付ける構成としている。
【０００４】
また、特開２０００−２９０８０６号公報（特許文献２）では、図８に示すような、脚部が足長方向に緊締力が異なる複数の輪状の部位からなり、着用時の着用者の脚部表面の着圧が下腿部最大径部（測定点Ｉ）において、最大となり、かつ下腿最大径部Ｉでの着圧と立体大腿最小部（測定点II）での着圧と下腿最小径部（測定点III）での着圧を一定の関係になるような脚部を有する衣類を提案している。
【０００５】
しかし、特許文献１及び特許文献２とも、特に緊締力の強いふくらはぎ部では、脚の中心方向に向かって常に緊締力が働いている状況となり、長時間の着用では、締め付けによる窮屈感やかゆみといった不快感を伴う場合があり、むくみの予防・軽減効果としても未だ改善の余地がある。
【０００６】
【特許文献１】特開平１１−１３１３０３号公報
【特許文献２】特開２０００−２９０８０６号公報
【発明の開示】
【発明が解決しようとする課題】
【０００７】
本発明は前記問題に鑑みてなされたものであり、下腿部に過度な緊締力を付与することなく、快適な着用感を得ながらも、効果的に脚のむくみや疲れを予防・軽減できるレッグウエアを提供することを課題としている。
【課題を解決するための手段】
【０００８】
前記課題を解決するため、本発明は、
少なくとも外踝から膝関節下端までの下腿部を覆う筒状の本体部を備えたレッグウエアであって、
前記外踝から後足首を経由して膝関節後面側の下端に至る外旋回のスパイラル形状を成す脚サポートライン部を前記本体部に備え、
前記脚サポートライン部は、前記外踝から後足首を旋回して内側に至り、該内側から外側へと前面側で、脛骨の下端から脛骨全長の１／４〜１／２の位置で向う脛を斜め上方に横切り、後面側で腓腹筋の中部から上部を経由して腓骨頭に至ることを特徴とするレッグウエアを提供している。
【０００９】
本発明者らは、前記課題について鋭意した結果、前述したような位置に外旋回のスパイラル形状を成す脚サポートライン部を備えることにより、該脚サポートライン部が下腿部の骨格に作用して骨の可動性を向上させ、弱い緊締力を付与するだけでも効果的に脚のむくみやだるさ、疲れ等の予防・軽減を図ることができることを知見した。
【００１０】
下腿部とは、膝下から足首までの部分を示す。また、脛骨は、下腿の内側、すなわち向う脛にある長い骨であり、腓骨は、脛骨の外側に隣接する細長い骨である。脛骨及び腓骨で下腿骨を形成している。
また、腓腹筋とは、ふくらはぎに相当する部分にある筋肉を示す。
なお、本発明は、着用時における人体の機能に基づいてなされたものあるため、本明細書において、レッグウエアに係る人体の部位を示す箇所は着用時において相当する位置を示すものとする。そのため、該位置は、着用状態や着用者の体型等により、多少のずれを生じる。
【００１１】
本発明のレッグウエアの脚サポートライン部は、詳細には、外踝から足首の後ろ側を経由して、内側に至り、該内側から前面側で向う脛を横切りながら、外側へと旋回して、後面側で腓腹筋の中部から上部を経由して腓骨頭に至るものとしている。
このように外踝から膝関節後面下端まで、外向きに旋回するスパイラル形状とすることで、脛骨と腓骨の可動性を向上させることができる。その結果、下腿部の筋肉を動きやすい状態にすることができ、溜まった組織液を静脈に戻すことができる。
【００１２】
さらに、本発明では前記脚サポートライン部が向う脛を横切る位置を、脛骨の下端から脛骨全長の１／４〜１／２の範囲に規定している。
前記位置で脚サポートライン部が向う脛を横切ることで該位置で脛骨に圧力がかかり、支点を形成させることができる。これにより、腓骨の上・下端部が各々作用点となり、脛骨と腓骨の可動性をより効果的に向上させることができる。その結果、下腿部の筋肉を動きやすい状態にすることができ、溜まった組織液を静脈に戻すことができるので、脚のむくみやだるさ、疲れ等を予防・軽減することができる。
なお、脛骨の下端から脛骨全長の１／３の位置が下腿部の動きの支点となるため、該位置で横切ることが好ましいが、該位置を含むように脛骨全長の１／４〜１／２の位置を横切るとしている。
【００１３】
本発明のレッグウエアを着用して動作を行えば、下腿骨（脛骨と腓骨）の可動性をさらに向上させることができるため、該下腿骨の周囲の筋肉の使用を誘導することができる。その結果、筋肉が引き締まり、皮下組織に組織液を溜めにくくすることができるため、むくみを予防することができる。
【００１４】
前記脚サポートライン部は、前記本体部よりも緊締力の大きい素材で形成され、前記足首から膝関節下部までの範囲において、前記本体部の２／５未満の面積としていることが好ましい。すなわち、前記脚サポートライン部が占める面積を前記足首から膝関節下部までの範囲を形成する生地全体の面積の２／５未満とし、その他の３／５以上の面積は該脚サポートライン部よりも緊締力が小さい素材で形成されていることが好ましいとしている。
これは、前記脚サポートライン部の面積が本体部の面積の２／５以上であると、サポートラインが太くなりすぎ、過度な緊締力を付与し、着用感を損なうおそれがあることに加え、支点を設けるようにライン状に緊締力を付与して、骨格に作用させるという本発明の効果が弱くなるおそれがあるからである。
なお、脚サポートライン部の面積の下限は、本体部の面積の１／１０としていることが好ましい。
【００１５】
前記脚サポートライン部は１ｃｍ〜４ｃｍの幅を有することが好ましい。これは、脚サポートライン部の幅が前記範囲未満であるとラインが細すぎて効果的に緊締力を付与できないおそれがあり、前記範囲を超えると過度に緊締力を付与し、ライン状に緊締力を付与して、骨格に作用させるという本発明の効果が得られにくいおそれがあるからである。
脚サポートライン部の幅は、好ましくは２〜３ｃｍである。
なお、前記本体部および前記脚サポートライン部の前記面積、幅は、未着用状態において計測したものである。
【００１６】
さらに、脚サポートライン部の最も高い圧力を付加する部分（Ｐ点）における圧力値は１．１ｋＰａ〜５．０ｋＰａとするのが好ましい。特に、男性用と女性用で圧力値を異ならせていることが好ましく、男性用で１．１ｋＰａ〜５．０ｋＰａ、女性用で１．１ｋＰａ〜３．０ｋＰａに設定するのが好ましい。
通常、脚サポートライン部の最も高い圧力を付加する部分（Ｐ点）は、向う脛を横切る部分となるので、脚サポートライン部が向う脛を斜め上方に横切る部分の中心点における圧力値を前記範囲とするのが好ましい。前記範囲の圧力値は従来の段階着圧のレッグウエアとほぼ同等程度であるが、本発明のレッグウエアは、人体の下腿部の骨格構造に基づくスパイラル形状の脚サポートライン部を設けているので、締め付け感のない状態で脚のむくみやだるさ、疲れ等の予防・軽減効果を得ることができる。
また、前記範囲の圧力値とすれば、下腿部を締め付け過ぎることなく緊締力を付与することができるので、快適な着用感を得ながら、むくみを予防・軽減することができる。
【００１７】
なお、前記脚サポートライン部の最も高い圧力を付加する部分（Ｐ点）における圧力値は前記Ｐ点の裏側に相当する本体部の部分（Ｑ点）における圧力値に対して１．２〜４．５倍に設定していることが好ましい。
前記Ｐ点における圧力値と前記Ｑ点における圧力値の比が前記範囲未満であると、脚サポートライン部と本体部との圧力差が小さ過ぎてライン状に適切な緊締力を付与できないおそれがあり、前記範囲を超えると本体部との圧力差が大き過ぎて、着用時における本体部の撓みや運動時のずり下がりなどにつながることも考えられるからである。
なお、前記圧力値は、レディス用のレッグウエアは、圧力センサ（エアパック式圧力センサー（ＡＭＩ社製））を内蔵した脚ダミー模型にレッグウエアを着用させ、該脚ダミー模型のＰ点、Ｑ点に相当する位置の脚部表面にかかる圧力を測定している。また、メンズ用のレッグウエアは、センサーを内蔵していない脚ダミー模型にレッグウエアを着用させ、該脚ダミー模型のＰ点、Ｑ点に相当する位置に前記圧力センサを貼り付けて脚部表面にかかる圧力を測定している。
【００１８】
さらに、前記脚サポートライン部の下端には連続する足裏サポートライン部を備え、該足裏サポートライン部は、足首甲部に位置する先端から足裏を横切って足首甲部へと旋回させ、前記先端と交差させてＹ字形状とし、該足裏サポートライン部は前記脚サポートライン部と同等の緊締力を付与していることが好ましい。
【００１９】
このように脚サポートライン部の下端を環状にして足裏で支える構成とすることにより、脚サポートライン部の位置をずれにくくすることができる。これにより、脚サポートライン部を前述したような下腿部の骨格相当位置に安定して配置させることができるので、より効果的にむくみ防止を図ることができる。
足裏サポートライン部の幅は前記脚サポートライン部と同様の方法で設けるのが好ましいが、足裏サポートライン部のみ幅を狭くしてもよい。
【００２０】
前記脚サポートライン部あるいは／及び足裏サポートライン部は、下記（１）〜（４）のいずれかの方法で形成していることが好ましい。
（１）前記本体部と編組織や編密度を変えることにより前記本体部と一連に編成する；
（２）前記本体部に別布を重ねて縫合または接着する；
（３）前記本体部に樹脂を溶着あるいはプリントする；
（４）前記本体部に装飾部材を樹脂接着する：
【００２１】
具体的には、下記に列挙する手段を単独あるいは併用して、緊締力を付与することができる。
・伸縮性を有するストレッチテープ生地等の緊締力が高い当て布を筒状の本体布の表側あるいは裏側に重ねて縫着して、部分的に緊締力を付与する
・筒状本体部の素材と変えて緊締力の高い素材を用い、該緊締力の高い素材を筒状本体部の素材と境界線で互いに縫合する。
・同一素材で編み組織を変える。
・同一素材で編み組織は変えずに、編糸の太さや本数等を変えて、編密度を密にする。
・同一素材で足し糸（カットボス）を行う。上記足し糸とは、丸編みにおいて、必要箇所に糸を足しており、この糸を足した箇所は他の箇所と比較して糸が多くなるために、緊締力を高めることができる。
・樹脂等の高緊締力となる材料を溶着する。例えば、水玉や花柄、幾何学模様等の樹脂プリントを施して緊締力を高める、ビーズやスパンコール、石等の装飾部材を樹脂接着して緊締力を高める。
【００２２】
本発明のレッグウエアは、男性用・女性用の種々の下腿部を覆う衣類とすることができる。特に、ストッキング、ソックス、あるいはレッグサポータとしていることが好ましいが、パンティストッキングやスパッツ、タイツ、肌着等とすることもできる。
【発明の効果】
【００２３】
前述したように、本発明によれば、外踝から後足首を経由して膝関節後面側の下端に至る外旋回のスパイラル形状を成す脚サポートライン部を筒状本体部に備え、該脚サポートライン部は、脛骨の下端から脛骨全長の１／４〜１／２の位置で向う脛を斜め上方に横切る構成としているので、該位置で支点を形成し、また、腓骨の上下端を作用点として、下腿部の骨の可動性を向上させて、下腿部の筋肉を動きやすい状態にすることで、溜まった組織液を静脈に戻すことができる。この原理を用いることで、下腿部の骨格に作用させることができるので、弱い緊締力を付与するだけでも効果的に脚のむくみやだるさ、疲れ等の予防・軽減を図ることができる。
【００２４】
さらに、前記脚サポートライン部の下端に連続する足裏サポートライン部を備えると、脚サポートライン部の位置をずれにくくし、下腿部の骨格相当位置に安定して位置させることができ、より効果的に脚のむくみやだるさ、疲れ等の予防・軽減を図ることができる。
【発明を実施するための最良の形態】
【００２５】
本発明の実施形態を図面を参照して説明する。
図１及び図２は、本発明の第１実施形態のレッグサポータ１０を着用した状態を示す。
レッグサポータ１０は、足首から膝関節下端までの下腿部を筒状に覆うと共に、つま先及び踵を露出させたソックス形状としており、筒状の本体布１１の裏側（肌側）に、伸縮性テープ１２を重ねて縫着し、脚サポートライン部１３と足裏サポートライン部１４とを連続して形成している。膝関節に位置する上端開口縁は、伸縮性を有する口ゴムを縫着し、口ゴム部１７を形成している。
【００２６】
レッグサポータ１０は、人体の下腿部に作用するものであるため、人体の部位に基づいて部材の位置を規定している。そのため、図３を用いて人体の右下腿部を右側面側から説明する。
下腿部の骨格（下腿骨）は、図３（Ａ）（Ｂ）に示すように、下腿の内側で向う脛に位置する脛骨５０と、下腿の外側に位置し脛骨５０よりも細長い骨である腓骨５１からなる。脛骨５０の両端は、脛骨頭５０ａ（膝関節に位置する上端部）、脛骨頭５０ｂ（足首関節に位置する下端部）とし、腓骨５１の両端も同様に、腓骨頭５１ａ、５１ｂとしている。
また、腓腹筋５２は、図３（Ｃ）に示すような、ふくらはぎに相当する部分にある筋肉である。
【００２７】
前記脚サポートライン部１３は、図１及び図２に示すように、外踝Ａから後足首Ｂを経由して、膝関節後面側の下端に至るまで、外旋回のスパイラル形状をなしている。
詳細には、図２に示すように、前記脚サポートライン部１３は、外踝Ａを始点として後足首Ｂを旋回して内側に至り、該内側から外側に向けて旋回して前面側に至り、向う脛を横切り、後面側で図３に示す腓腹筋５２の中部５２ａから上部５２ｂを経由して腓骨頭５１ａに至っている。
脚サポートライン部１３は、向う脛を、図２（Ａ）に示すように、脛骨頭５０ｂの下端から脛骨５０の全長Ｌのおよそ１／３の位置Ｐで斜め上方に横切っている。
【００２８】
さらに、前記脚サポートライン部１３の下端となる外踝位置Ａからは、さらに連続して、足裏サポートライン部１４を設けている。該足裏サポートライン部１４は、足首甲部に位置する先端から足裏を横切って足首甲部へと旋回させ、前記先端と交差させてＹ字形状としている。
【００２９】
レッグサポータ１０を構成する筒状の本体布１１は編地からなり、前記脚サポートライン部１３は、前記本体布１１の裏側（肌側）に、本体布１１よりも緊締力の大きい幅３ｃｍ〜３．５ｃｍの伸縮性テープ１２を縫着して形成し、足首から膝関節下部までの範囲において、脚サポートライン部１３の面積は、本体布１１の面積の２／５未満としている。
【００３０】
レッグサポータ１０は着用すると、前述した人体の下腿部の箇所に脚サポートライン部１３が配置される。脚サポートライン部１３に連続して、足裏サポートライン部１４を備えているので、脚サポートライン部１３の位置ずれを防ぐことができる。
着用時において、脚サポートライン部１３が向う脛を斜め上方に横切る位置Ｐにおいて最も骨格に圧力が付加されている。そのため、図３（Ａ）に示すように、位置Ｐが支点となり、上端の腓骨頭５１ａ及び下端の腓骨頭５１ｂを各々作用点とし、図中矢印に示す方向に、脛骨５０と腓骨５１の可動性を促すことができる。その結果、下腿部の筋肉を動きやすい状態にし、効果的に脚のむくみやだるさ、疲れ等を予防・軽減することができる。
【００３１】
本実施形態において、位置Ｐの圧力値はレディスで２．４７ｋＰａ、メンズで３．４ｋＰａ、本体布１１のみからなる箇所でＰ点の裏側に相当する位置Ｑの圧力値はレディスで０．７３ｋＰａ、メンズで０．８８ｋＰａであり、位置Ｐにおける夫々の圧力値は位置Ｑの３．３８倍から３．８６倍に設定している。
なお、レッグサポータ１０の前記圧力値は、レディス用では圧力センサ（エアパック式圧力センサー（ＡＭＩ社製））を内蔵した脚ダミー模型にレッグサポータ１０を着用させ、該脚ダミー模型のＰ点、Ｑ点に相当する位置の脚部表面にかかる圧力を測定している。また、メンズ用のレッグサポータ１０は、センサーを内蔵していない脚ダミー模型にレッグサポータ１０を着用させ、該脚ダミー模型のＰ点、Ｑ点に相当する位置に前記圧力センサを貼り付けて脚部表面にかかる圧力を測定している。
【００３２】
レッグサポータ１０は、人体の下腿骨の構造に着目して設計されたＳ字形状の脚サポートライン部を有するので、このような弱い緊締力を付与するだけでも効果的にむくみ予防・軽減効果を得ることができる。その結果、従来の着圧段階ストッキングのように強い緊締力を付与する必要がないので、着用時の不快感がない。
【００３３】
図４に、第２実施形態のソックス２０を示す。
本実施形態は、つま先及び踵を覆うソックスとしており、脚サポートライン部及び足裏サポートライン部の形成方法を第１実施形態と相違させている。
本実施形態の脚サポートライン部２３及び足裏サポートライン部２４は、本体布２１に弾性を有する樹脂を塗布することにより設けており、本体布２１よりも高い緊締力を付与している。
本構成とすれば、縫着等の面倒な作業なしに、容易に脚サポートライン部を形成することができる。
【００３４】
図５に、第３実施形態のストッキング３０を示す。
第３実施形態は、ストッキングとしており、丸編機で全体を一連に編成している。詳細には、ナイロン及びポリウレタンからなるストッキング本体３１を編み立てる際に、編組織を変更して、脚サポートライン部３３及び足裏サポートライン部３４を形成している。
【００３５】
本実施形態において、レディス用で位置Ｐの圧力値を１．８９ｋＰａ、位置Ｐの裏側に位置する位置Ｑの圧力値は０．５１ｋＰａとし、位置Ｐにおける圧力値は位置Ｑの略３．７倍に設定している。
【００３６】
さらに、本実施形態においては、脚サポートライン部３３の幅Ｗを外踝から膝関節下端にかけて徐々に大きくしていると共に、足裏サポートライン部３４の幅は脚サポートライン部よりも小さくしている。
詳細には、脚サポートライン部３３は幅を２．０ｃｍ〜３．５ｃｍとし、足裏サポートライン部３４は幅を１．５ｃｍ〜２．０ｃｍとしている。
【００３７】
本構成とすれば、別布を縫着したりすることなく編機で脚サポートライン部及び足裏サポートライン部を同時に形成することができるので、煩雑な製造工程を経る必要がなく、脚サポートライン部及び足裏サポートライン部を形成することができる。また、本体と脚サポートライン部の切替部分に段差が生じることがないので、肌辺りがよく、快適な着用感を得ることができる。
他の構成及び効果は第１実施形態と同様のため、同一符号を付して説明を省略する。
【００３８】
図６に、第４実施形態のソックス４０を示す。
第４実施形態では、つま先及び踵を覆うソックスとしており、足裏サポートライン部を設けていない点、及び、樹脂の塗布方法で、第２実施形態のソックス２０と相違する。
すなわち、本実施形態の脚サポートライン部４３は、本体布４１に弾性を有する樹脂をドット状に塗布して設け、本体布４１よりも高い緊締力を付与しており、脚サポートライン部４３の下端は外踝Ａから内踝（図示せず）まで延在させている。
本構成としても、ずれ上がりを防止することができるので脚サポートライン部の位置を安定に保持することができる。
他の構成及び効果は第１実施形態と同様であるため、同一符号を付して説明を省略する。
【００３９】
なお、本発明は前記実施形態のストッキング、ソックス、レッグサポータに限定されず、種々の下腿部を覆う衣類に適用できる。例えば、パンティストッキング、スパッツ、タイツ、肌着等にも適用することもできる。
また、脚サポートライン部あるいは／及び足裏サポートライン部の形成方法も実施形態の方法に限定されない。
【図面の簡単な説明】
【００４０】
【図１】本発明の第１実施形態に係るレッグサポータを着用した状態を示す概略斜視図である。
【図２】本発明の第１実施形態に係るレッグサポータを着用した状態を示す図であり、（Ａ）外側、（Ｂ）は後面側、（Ｃ）は内側、（Ｄ）は前面側からみた図である。
【図３】人体の下腿の構造と本発明のレッグウエアの関係を説明する図である。
【図４】第２実施形態に係るソックスを示す。
【図５】第３実施形態に係るストッキングを示す。
【図６】第４実施形態に係るソックスを示す。
【図７】従来例を示す。
【図８】他の従来例を示す。
【符号の説明】
【００４１】
１０  レッグサポータ
１１，２１，３１，４１  本体布
１３，２３，３３，３４  脚サポートライン部
１４，２４，３４，４４  足裏サポートライン部
１７  口ゴム部
２０，４０  ソックス
３０  ストッキング
５０  脛骨
５１  腓骨
５１ａ  腓骨頭
５２  腓腹筋
【図１】
2008266802.tif 000003
【図２】
2008266802.tif 000004
【図３】
2008266802.tif 000005
【図４】
2008266802.tif 000006
【図５】
2008266802.tif 000007
【図６】
2008266802.tif 000008
【図７】
2008266802.tif 000009
【図８】
2008266802.tif 000010